(57)【要約】【課題】１枚のブランクと透明フィルムとを使用した陳列可能な包装体であって、側端部の隙間からの出し入れが困難な包装体を提供すること。【解決手段】ブランクＡ１の台紙領域１１０に内容物Ｂを載置し、この内容物Ｂを透明フィルムＣで被覆し、その左右端を右側折り曲げ片１１２及び左側折り曲げ片１１３に固定する。そして、ブランクＡ１を折り曲げて、透明フィルムＣの両側端を保護する。この保護を解かない限り、ブランクＡ１と透明フィルムＣとの隙間から異物を混入したり、内容物Ｂを不正に取り出すことができない。【選択図】図１
2020055610.tif 000002
【特許請求の範囲】
【請求項１】
ブランクと透明フィルムとで内容物を包装した包装体であって、
このブランクが台紙領域を有しており、かつ、この台紙領域がその一方の面（以下「第一面側」という）に内容物を載置する台紙本体と、この台紙本体の左右に折り曲げ罫線を介して連接された２つの折り曲げ片とを備えて構成されており、
台紙本体の第一面側に内容物が載置されており、この内容物を透明フィルムが被覆し、この透明フィルムの左右端がそれぞれ右側折り曲げ片及び左側折り曲げ片に固定されており、
前記台紙本体と右側折り曲げ片との間の折り曲げ罫線で折り曲げられ、かつ、前記台紙本体と左側折り曲げ片との間の折り曲げ罫線で折り曲げられて、これら右側折り曲げ片及び左側折り曲げ片が台紙本体の前記第一面側の反対側の面（以下「第二面側」という）に密着して又は隙間を介してこれに重ねられており、
前記透明フィルムの前後側端に位置する隙間に包装体の外部から触れることができないように、この透明フィルムの前後側端を前記ブランクの一部領域で保護していることを特徴とする包装体。
【請求項２】
前記ブランクが吊り下げ孔を有することを特徴とする請求項１に記載の包装体。
【請求項３】
ブランクＡ１と透明フィルムＣとで内容物Ｂを包装した包装体であって、
ブランクＡ１が、台紙領域１１０、前後２つの側端部保護領域１２０，１３０、及び前後２つの固定領域１４０，１５０を備えて構成されており、
台紙領域１１０が、その一方の面（以下「第一面側」という）に内容物Ｂを載置する台紙本体１１１と、この台紙本体１１１の左右に折り曲げ罫線１ｃ１，１ｃ２を介して連接された２つの折り曲げ片１１２，１１３とを備えて構成されており、
後側の前記側端部保護領域１２０が、台紙本体１１１の後側に折り曲げ罫線１ａ１を介して連接された後側下側折り重ね片１２１と、この後側下側折り重ね片１２１の後側に折り曲げ罫線１ａ２を介して連接された後側上側折り重ね片１２２とを備えて構成されており、
後側の前記固定領域１４０が、後側上側折り重ね片１２２の後側に折り曲げ罫線１ａ３を介して連接された後側係止片１４１と、後側下側折り重ね片１２１の左右又は後側上側折り重ね片１２２の左右に折り曲げ罫線１ｄ１，１ｄ２，１ｅ１，１ｅ２を介して連接された後側側面固定片１４２，１４３，１４４，１４５とを備えて構成されており、
前側の前記側端部保護領域１３０が、台紙本体１１１の前側に折り曲げ罫線１ｂ１を介して連接された前側下側折り重ね片１３１と、この前側下側折り重ね片１３１の前側に折り曲げ罫線１ｂ２を介して連接された前側上側折り重ね片１３２とを備えて構成されており、
前側の前記固定領域１５０が、前側上側折り重ね片１３２の前側に折り曲げ罫線１ｂ３を介して連接された前側係止片１５１と、前側下側折り重ね片１３１の左右又は前側上側折り重ね片１３２の左右に折り曲げ罫線１ｆ１，１ｆ２，１ｇ１，１ｇ２を介して連接された前側側面固定片１５２，１５３，１５４，１５５とを備えて構成されており、
前記台紙本体１１１の第一面側に内容物Ｂが載置されており、この内容物Ｂを透明フィルムＣが被覆し、この透明フィルムＣの左右端がそれぞれ右側折り曲げ片１１２及び左側折り曲げ片１１３に固定されており、
後側の側端部保護領域１２０が、台紙本体１１１と後側下側折り重ね片１２１との間の折り曲げ罫線１ａ１で折り曲げられて後側下側折り重ね片１２１が台紙本体１１１の第一面側に重ねられており、かつ、この後側下側折り重ね片１２１が透明フィルムＣの後側側端を覆っており、さらに、前記後側下側折り重ね片１２１と後側上側折り重ね片１２２との間の折り曲げ罫線１ａ２で折り曲げられて後側上側折り重ね片１２２が後側下側折り重ね片１２１に重ねられており、
また、前側の側端部保護領域１５０が、台紙本体１１１と前側下側折り重ね片１５１との間の折り曲げ罫線１ｂ１で折り曲げられて前側下側折り重ね片１５１が台紙本体１１１の第一面側に重ねられており、かつ、この前側下側折り重ね片１５１が透明フィルムＣの前側側端を覆っており、さらに、前記前側下側折り重ね片１５１と前側上側折り重ね片１５２との間の折り曲げ罫線１ｂ２で折り曲げられて前側上側折り重ね片１５２が前側下側折り重ね片１５１に重ねられており、
前記台紙領域１１０の台紙本体１１１と右側折り曲げ片１１２との間の折り曲げ罫線１ｃ１で折り曲げられ、後側下側折り重ね片１２１又は後側上側折り重ね片１２２と後側側面固定片１４２，１４４との間の折り曲げ罫線１ｄ１，１ｅ１で折り曲げられ、また、前側下側折り重ね片１３１又は前側上側折り重ね片１３２と前側側面固定片１５２，１５４との間の折り曲げ罫線１ｆ１，１ｇ１で折り曲げられて、これら右側折り曲げ片１１２、後側側面固定片１４２，１４４及び前側側面固定片１４２，１４４が台紙本体１１１の前記第一面側の反対側の面（以下「第二面側」という）に密着して又は隙間を介してこれに重ねられており、
前記台紙領域１１０の台紙本体１１１と左側折り曲げ片１１３との間の折り曲げ罫線１ｃ２で折り曲げられ、後側下側折り重ね片１２１又は後側上側折り重ね片１２２と後側側面固定片１４３，１４５との間の折り曲げ罫線１ｄ２，１ｅ２で折り曲げられ、また、前側下側折り重ね片１３１又は前側上側折り重ね片１３２と前側側面固定片１５３，１５５との間の折り曲げ罫線１ｆ２，１ｇ２で折り曲げられて、これら左側折り曲げ片１１３、後側側面固定片１４３，１４５及び前側側面固定片１５３，１５５が台紙本体１１１の第二面側に密着して又は隙間を介してこれに重ねられており、
後側上側折り重ね片１２２と後側係止片１４１との間の折り曲げ罫線１ａ３で折り曲げられて後側係止片１４１が台紙本体１１１の第二面側で後側側面固定片１４２，１４３，１４４，１４５の上に重ねられており、
前側上側折り重ね片１３２と前側係止片１５１との間の折り曲げ罫線１ｂ３で折り曲げられて前側係止片１５１が台紙本体１１１の第二面側で前側側面固定片１５２，１５３，１５４，１５５の上に重ねられており、
これら後側係止片１４１と前側係止片１５１とが互いに係止されている、
ことを特徴とする包装体。
【請求項４】
台紙領域１１０に内容物Ｂの一部を陥入する陥入部を有することを特徴とする請求項３に記載の包装体。
【請求項５】
後側係止片１４１、台紙本体１１１、前側下側折り重ね片１３１、前側上側折り重ね片１３２及び前側係止片１５１を貫通する吊り下げ孔１ｘを有することを特徴とする請求項３又は４に記載の包装体。
【請求項６】
ブランクＡ２と透明フィルムＣとで内容物Ｂを包装した包装体であって、
ブランクＡ２が台紙領域２１０と箱体形成領域２２０とを備えて構成されており、
台紙領域２１０が、その一方の面（以下「第一面側」という）に内容物Ｂを載置する台紙本体２１１と、この台紙本体２１１の左右に折り曲げ罫線２ｃ１，２ｃ２を介して連接された２つの折り曲げ片２１２，２１３とを備えて構成されており、
箱体形成領域２２０が、直方体状の箱体を構成する底板２２１、天板２２３、４枚の側面板２２２，２２４，２２５，２２６を備えて構成されており、
台紙本体２１１と底面２２１とが折り曲げ罫線２ａを介して連接しており、
天面２２３に観察用窓が設けられており、
前記台紙本体２１１の第一面側に内容物Ｂが載置されており、この内容物Ｂを透明フィルムＣが被覆し、この透明フィルムＣの左右端がそれぞれ右側折り曲げ片２１２及び左側折り曲げ片２１３に固定されており、
前記台紙領域２１０の台紙本体２１１と右側折り曲げ片２１２との間の折り曲げ罫線２
ｃ１で折り曲げられて右側折り曲げ片２１２が台紙本体２１１の前記第一面側の反対側の面（以下「第二面側」という）に密着して又は隙間を介してこれに重ねられており、
前記台紙領域２１０の台紙本体２１１と左側折り曲げ片２１３との間の折り曲げ罫線２ｃ２で折り曲げられて左側折り曲げ片２１３が台紙本体２１１の第二面側に密着して又は隙間を介してこれに重ねられており、
折り曲げ罫線２ａで折り曲げられて箱体形成領域２２０の底板２２１が台紙本体２１１の第二面側で、右側折り曲げ片２１２及び左側折り曲げ片２１３の両者の上に重ねられており、
この底板２２１を底面とし、天板２２３を天面、４枚の側面板２２２，２２４，２２５，２２６を四周の側面として、直方体状の箱体を構成している、
ことを特徴とする包装体。
【請求項７】
台紙本体２１１及び底板２２１の両者が前記箱体から突出した部位を有しており、
この突出部位に、これら台紙本体２１１及び底板２２１の両者を貫通する吊り下げ孔１ｘを有することを特徴とする請求項６に記載の包装体。
【請求項８】
台紙本体２１１の後側に折り曲げ罫線２ｂを介して応力緩衝板２１４が連接されており、この折り曲げ罫線２ｂで折り曲げられて、応力緩衝板２１４が台紙本体２１１と底板２２１との間に配置されていることを特徴とする請求項６又は７に記載の包装体。
【請求項９】
ブランクＡ３と透明フィルムＣとで内容物Ｂを包装した包装体であって、
ブランクＡ３が、台紙領域３１０、前後２つの側端部保護領域３２，３２、及び左右２つの固定領域３４，３５を備えて構成されており、
台紙領域３１０が、その一方の面（以下「第一面側」という）に内容物Ｂを載置する台紙本体３１１と、この台紙本体３１１の左右に折り曲げ罫線３ｃ１，３ｃ２を介して連接された２つの折り曲げ片３１２，３１３とを備えて構成されており、
後側の前記側端部保護領域３２が台紙本体３１１の後側に折り曲げ罫線３ａ１を介して連接されており、
前側の前記側端部保護領域３３が台紙本体１１１の前側に折り曲げ罫線３ａ２を介して連接されており、
折り曲げ罫線３ａ２で折り曲げてこの前側の前記側端部保護領域３３を台紙本体１１１に重ねたとき、この前側の前記側端部保護領域３３が後側の前記側端部保護領域３２に重なる大きさを有すると共に、その中央に観察用窓３３ｚが設けられており、
左右２つの固定領域３４，３５が、それぞれ、前側の前記側端部保護領域３３の左右に、折り曲げ罫線３ｂ１，３ｂ２を介して連接されており、かつ、これら左右２つの固定領域３４，３５が、互いに係止できる係止手段を有しており、
前記台紙本体３１１の第一面側に内容物Ｂが載置されており、この内容物Ｂを透明フィルムＣが被覆し、この透明フィルムＣの左右端がそれぞれ右側折り曲げ片３１２及び左側折り曲げ片３１３に固定されており、
この後側の前記側端部保護領域３２と台紙本体３１１との間の折り曲げ罫線３ａ１で折り曲げられて、後側の前記側端部保護領域３２が台紙本体３１１の第一面側に重ねられており、かつ、この後側側端部保護領域３２が透明フィルムＣの後側側端を覆っており、
前記台紙領域３１０の台紙本体３１１と右側折り曲げ片１１２との間の折り曲げ罫線１ｃ１で折り曲げられ、また、台紙本体３１１と左側折り曲げ片１１３との間の折り曲げ罫線１ｃ２で折り曲げられて、右側折り曲げ片１１２及び左側折り曲げ片１１３の両者が、それぞれ、台紙本体１１１の前記第一面側の反対側の面（以下「第二面側」という）に密着して又は隙間を介してこれに重ねられており、
台紙本体３１１と前側の前記側端部保護領域３３との間の折り曲げ罫線３ａ２で折り曲げられて前側の前記側端部保護領域３３が前記台紙本体１１１の第一面側に重ねられており、かつ、その観察用窓３３ｚから透明フィルムＣの一部が露出すると共に、前側の前記
側端部保護領域３３が透明フィルムＣの前側側端を覆っており、
前側の前記側端部保護領域３３と左右の前記固定領域３４，３５との間の折り曲げ罫線３ｂ１，３ｂ２で折り曲げられて、左右の前記固定領域３４，３５の両者が、それぞれ、台紙本体３１１の第二面側に重ねられており、かつ、これら両固定領域３４，３５が互いに係止されている、
ことを特徴とする包装体。
【請求項１０】
前記台紙本体３１１に重ねられた前側の前記側端部保護領域３３が前記台紙本体３１１から突出した部位を有しており、この突出部位に吊り下げ孔３ｘを有することを特徴とする請求項９に記載の包装体。
【発明の詳細な説明】
【技術分野】
【０００１】
本発明は、台紙と透明フィルムとを利用して内容物を固定保持した包装体に関する。
【背景技術】
【０００２】
台紙に透明フィルムを重ね、透明フィルムの両端を台紙に接着すると共に、これら台紙と透明フィルムとの間に固体内容物を介在させ、透明フィルムの張力を利用してこの固体内容物を固定した包装体は古くから知られている。
【０００３】
この包装体は図２２（ｄ）に示すような構造を有している。説明の便宜上、その製造工程に沿って説明すると、この包装体では、まず、図２２（ａ）に示すような台紙３０を使用する。この台紙３０は、その中央を台紙本体３１とし、その左右に折り曲げ罫線３ｃ１，３ｃ２を介して折り曲げ片３２，３３を連接したものである。
【０００４】
また、この包装体では、固体内容物Ｂに加えて透明フィルムＣを使用する。すなわち、まず、固体内容物Ｂを台紙本体３１の第一面側に載置する。そして、この固体内容物Ｂを透明フィルムＣで被覆し、透明フィルムＣの左右両端を折り曲げ片３２，３３に接着する（図２２（ｂ）参照）。なお、図中、Ｃ１，Ｃ２はこの固定部を示している。
【０００５】
次に、台紙３０を折り曲げ罫線３ｃ１，３ｃ２で折り曲げ、折り曲げ片３２，３３を台紙本体３１の第二面側に折り曲げる（図２２（ｃ）参照）。この折り曲げに伴って透明フィルムＣが引き伸ばされてその張力が増加し、固体内容物Ｂが台紙本体３１の第一面側に押し付けられて固定される。
【０００６】
そして、折り曲げ片３２，３３が台紙本体３１の第二面に密着するまで折り曲げることにより、この包装体を製造することができる。
【０００７】
この包装体は、少ない材料で容易に包装でき、また、そのまま店頭に陳列できる点で優れたものであるが、図２２（ｄ）に示すように、その側端部Ｘでは透明フィルムＣと台紙本体３１との間に隙間があり、このため、異物を混入する等の不正を防止することができない。また、この隙間から固体内容物Ｂを不正に取り出したり、別の内容物と交換する等の不正行為も、その防止が困難である。
【０００８】
一方、この包装体の四周を側壁で囲った構造を有する包装体も公知である（特許文献１）。
【０００９】
しかし、この包装体は、ダンボール箱等の外装箱に収容することを前提とするもので、店頭に陳列することができない。
【先行技術文献】
【特許文献】
【００１０】
【特許文献１】特開２０１６−２２２２６９号公報
【発明の概要】
【発明が解決しようとする課題】
【００１１】
そこで、本発明は、１枚のブランクと透明フィルムとを使用した陳列可能な包装体であって、側端部の隙間からの出し入れが困難な包装体を提供することを目的とする。
【課題を解決するための手段】
【００１２】
すなわち、請求項１に記載の発明は、
ブランクと透明フィルムとで内容物を包装した包装体であって、
このブランクが台紙領域を有しており、かつ、この台紙領域がその一方の面（以下「第一面側」という）に内容物を載置する台紙本体と、この台紙本体の左右に折り曲げ罫線を介して連接された２つの折り曲げ片とを備えて構成されており、
台紙本体の第一面側に内容物が載置されており、この内容物を透明フィルムが被覆し、この透明フィルムの左右端がそれぞれ右側折り曲げ片及び左側折り曲げ片に固定されており、
前記台紙本体と右側折り曲げ片との間の折り曲げ罫線で折り曲げられ、かつ、前記台紙本体と左側折り曲げ片との間の折り曲げ罫線で折り曲げられて、これら右側折り曲げ片及び左側折り曲げ片が台紙本体の前記第一面側の反対側の面（以下「第二面側」という）に密着して又は隙間を介してこれに重ねられており、
前記透明フィルムの前後側端に位置する隙間に包装体の外部から触れることができないように、この透明フィルムの前後側端を前記ブランクの一部領域で保護していることを特徴とする包装体である。
【００１３】
次に、請求項２に記載の発明は、前記ブランクが吊り下げ孔を有することを特徴とする請求項１に記載の包装体である。
【００１４】
次に、請求項３に記載の発明は、
ブランクＡ１と透明フィルムＣとで内容物Ｂを包装した包装体であって、
ブランクＡ１が、台紙領域１１０、前後２つの側端部保護領域１２０，１３０、及び前後２つの固定領域１４０，１５０を備えて構成されており、
台紙領域１１０が、その一方の面（以下「第一面側」という）に内容物Ｂを載置する台紙本体１１１と、この台紙本体１１１の左右に折り曲げ罫線１ｃ１，１ｃ２を介して連接された２つの折り曲げ片１１２，１１３とを備えて構成されており、
後側の前記側端部保護領域１２０が、台紙本体１１１の後側に折り曲げ罫線１ａ１を介して連接された後側下側折り重ね片１２１と、この後側下側折り重ね片１２１の後側に折り曲げ罫線１ａ２を介して連接された後側上側折り重ね片１２２とを備えて構成されており、
後側の前記固定領域１４０が、後側上側折り重ね片１２２の後側に折り曲げ罫線１ａ３を介して連接された後側係止片１４１と、後側下側折り重ね片１２１の左右又は後側上側折り重ね片１２２の左右に折り曲げ罫線１ｄ１，１ｄ２，１ｅ１，１ｅ２を介して連接された後側側面固定片１４２，１４３，１４４，１４５とを備えて構成されており、
前側の前記側端部保護領域１３０が、台紙本体１１１の前側に折り曲げ罫線１ｂ１を介して連接された前側下側折り重ね片１３１と、この前側下側折り重ね片１３１の前側に折り曲げ罫線１ｂ２を介して連接された前側上側折り重ね片１３２とを備えて構成されており、
前側の前記固定領域１５０が、前側上側折り重ね片１３２の前側に折り曲げ罫線１ｂ３を介して連接された前側係止片１５１と、前側下側折り重ね片１３１の左右又は前側上側折り重ね片１３２の左右に折り曲げ罫線１ｆ１，１ｆ２，１ｇ１，１ｇ２を介して連接された前側側面固定片１５２，１５３，１５４，１５５とを備えて構成されており、
前記台紙本体１１１の第一面側に内容物Ｂが載置されており、この内容物Ｂを透明フィルムＣが被覆し、この透明フィルムＣの左右端がそれぞれ右側折り曲げ片１１２及び左側折り曲げ片１１３に固定されており、
後側の側端部保護領域１２０が、台紙本体１１１と後側下側折り重ね片１２１との間の折り曲げ罫線１ａ１で折り曲げられて後側下側折り重ね片１２１が台紙本体１１１の第一面側に重ねられており、かつ、この後側下側折り重ね片１２１が透明フィルムＣの後側側端を覆っており、さらに、前記後側下側折り重ね片１２１と後側上側折り重ね片１２２と
の間の折り曲げ罫線１ａ２で折り曲げられて後側上側折り重ね片１２２が後側下側折り重ね片１２１に重ねられており、
また、前側の側端部保護領域１５０が、台紙本体１１１と前側下側折り重ね片１５１との間の折り曲げ罫線１ｂ１で折り曲げられて前側下側折り重ね片１５１が台紙本体１１１の第一面側に重ねられており、かつ、この前側下側折り重ね片１５１が透明フィルムＣの前側側端を覆っており、さらに、前記前側下側折り重ね片１５１と前側上側折り重ね片１５２との間の折り曲げ罫線１ｂ２で折り曲げられて前側上側折り重ね片１５２が前側下側折り重ね片１５１に重ねられており、
前記台紙領域１１０の台紙本体１１１と右側折り曲げ片１１２との間の折り曲げ罫線１ｃ１で折り曲げられ、後側下側折り重ね片１２１又は後側上側折り重ね片１２２と後側側面固定片１４２，１４４との間の折り曲げ罫線１ｄ１，１ｅ１で折り曲げられ、また、前側下側折り重ね片１３１又は前側上側折り重ね片１３２と前側側面固定片１５２，１５４との間の折り曲げ罫線１ｆ１，１ｇ１で折り曲げられて、これら右側折り曲げ片１１２、後側側面固定片１４２，１４４及び前側側面固定片１４２，１４４が台紙本体１１１の前記第一面側の反対側の面（以下「第二面側」という）に密着して又は隙間を介してこれに重ねられており、
前記台紙領域１１０の台紙本体１１１と左側折り曲げ片１１３との間の折り曲げ罫線１ｃ２で折り曲げられ、後側下側折り重ね片１２１又は後側上側折り重ね片１２２と後側側面固定片１４３，１４５との間の折り曲げ罫線１ｄ２，１ｅ２で折り曲げられ、また、前側下側折り重ね片１３１又は前側上側折り重ね片１３２と前側側面固定片１５３，１５５との間の折り曲げ罫線１ｆ２，１ｇ２で折り曲げられて、これら左側折り曲げ片１１３、後側側面固定片１４３，１４５及び前側側面固定片１５３，１５５が台紙本体１１１の第二面側に密着して又は隙間を介してこれに重ねられており、
後側上側折り重ね片１２２と後側係止片１４１との間の折り曲げ罫線１ａ３で折り曲げられて後側係止片１４１が台紙本体１１１の第二面側で後側側面固定片１４２，１４３，１４４，１４５の上に重ねられており、
前側上側折り重ね片１３２と前側係止片１５１との間の折り曲げ罫線１ｂ３で折り曲げられて前側係止片１５１が台紙本体１１１の第二面側で前側側面固定片１５２，１５３，１５４，１５５の上に重ねられており、
これら後側係止片１４１と前側係止片１５１とが互いに係止されている、
ことを特徴とする包装体である。
【００１５】
次に、請求項４に記載の発明は、台紙領域１１０に内容物Ｂの一部を陥入する陥入部を有することを特徴とする請求項３に記載の包装体である。
【００１６】
次に、請求項５に記載の発明は、後側係止片１４１、台紙本体１１１、前側下側折り重ね片１３１、前側上側折り重ね片１３２及び前側係止片１５１を貫通する吊り下げ孔１ｘを有することを特徴とする請求項３又は４に記載の包装体である。
【００１７】
次に、請求項６に記載の発明は、
ブランクＡ２と透明フィルムＣとで内容物Ｂを包装した包装体であって、
ブランクＡ２が台紙領域２１０と箱体形成領域２２０とを備えて構成されており、
台紙領域２１０が、その一方の面（以下「第一面側」という）に内容物Ｂを載置する台紙本体２１１と、この台紙本体２１１の左右に折り曲げ罫線２ｃ１，２ｃ２を介して連接された２つの折り曲げ片２１２，２１３とを備えて構成されており、
箱体形成領域２２０が、直方体状の箱体を構成する底板２２１、天板２２３、４枚の側面板２２２，２２４，２２５，２２６を備えて構成されており、
台紙本体２１１と底面２２１とが折り曲げ罫線２ａを介して連接しており、
天面２２３に観察用窓が設けられており、
前記台紙本体２１１の第一面側に内容物Ｂが載置されており、この内容物Ｂを透明フィ
ルムＣが被覆し、この透明フィルムＣの左右端がそれぞれ右側折り曲げ片２１２及び左側折り曲げ片２１３に固定されており、
前記台紙領域２１０の台紙本体２１１と右側折り曲げ片２１２との間の折り曲げ罫線２ｃ１で折り曲げられて右側折り曲げ片２１２が台紙本体２１１の前記第一面側の反対側の面（以下「第二面側」という）に密着して又は隙間を介してこれに重ねられており、
前記台紙領域２１０の台紙本体２１１と左側折り曲げ片２１３との間の折り曲げ罫線２ｃ２で折り曲げられて左側折り曲げ片２１３が台紙本体２１１の第二面側に密着して又は隙間を介してこれに重ねられており、
折り曲げ罫線２ａで折り曲げられて箱体形成領域２２０の底板２２１が台紙本体２１１の第二面側で、右側折り曲げ片２１２及び左側折り曲げ片２１３の両者の上に重ねられており、
この底板２２１を底面とし、天板２２３を天面、４枚の側面板２２２，２２４，２２５，２２６を四周の側面として、直方体状の箱体を構成している、
ことを特徴とする包装体である。
【００１８】
次に、請求項７に記載の発明は、  台紙本体２１１及び底板２２１の両者が前記箱体から突出した部位を有しており、
この突出部位に、これら台紙本体２１１及び底板２２１の両者を貫通する吊り下げ孔１ｘを有することを特徴とする請求項６に記載の包装体である。
【００１９】
次に、請求項８に記載の発明は、台紙本体２１１の後側に折り曲げ罫線２ｂを介して応力緩衝板２１４が連接されており、この折り曲げ罫線２ｂで折り曲げられて、応力緩衝板２１４が台紙本体２１１と底板２２１との間に配置されていることを特徴とする請求項６又は７に記載の包装体である。
【００２０】
次に、請求項９に記載の発明は、
ブランクＡ３と透明フィルムＣとで内容物Ｂを包装した包装体であって、
ブランクＡ３が、台紙領域３１０、前後２つの側端部保護領域３２，３２、及び左右２つの固定領域３４，３５を備えて構成されており、
台紙領域３１０が、その一方の面（以下「第一面側」という）に内容物Ｂを載置する台紙本体３１１と、この台紙本体３１１の左右に折り曲げ罫線３ｃ１，３ｃ２を介して連接された２つの折り曲げ片３１２，３１３とを備えて構成されており、
後側の前記側端部保護領域３２が台紙本体３１１の後側に折り曲げ罫線３ａ１を介して連接されており、
前側の前記側端部保護領域３３が台紙本体１１１の前側に折り曲げ罫線３ａ２を介して連接されており、
折り曲げ罫線３ａ２で折り曲げてこの前側の前記側端部保護領域３３を台紙本体１１１に重ねたとき、この前側の前記側端部保護領域３３が後側の前記側端部保護領域３２に重なる大きさを有すると共に、その中央に観察用窓３３ｚが設けられており、
左右２つの固定領域３４，３５が、それぞれ、前側の前記側端部保護領域３３の左右に、折り曲げ罫線３ｂ１，３ｂ２を介して連接されており、かつ、これら左右２つの固定領域３４，３５が、互いに係止できる係止手段を有しており、
前記台紙本体３１１の第一面側に内容物Ｂが載置されており、この内容物Ｂを透明フィルムＣが被覆し、この透明フィルムＣの左右端がそれぞれ右側折り曲げ片３１２及び左側折り曲げ片３１３に固定されており、
この後側の前記側端部保護領域３２と台紙本体３１１との間の折り曲げ罫線３ａ１で折り曲げられて、後側の前記側端部保護領域３２が台紙本体３１１の第一面側に重ねられており、かつ、この後側側端部保護領域３２が透明フィルムＣの後側側端を覆っており、
前記台紙領域３１０の台紙本体３１１と右側折り曲げ片１１２との間の折り曲げ罫線１ｃ１で折り曲げられ、また、台紙本体３１１と左側折り曲げ片１１３との間の折り曲げ罫
線１ｃ２で折り曲げられて、右側折り曲げ片１１２及び左側折り曲げ片１１３の両者が、それぞれ、台紙本体１１１の前記第一面側の反対側の面（以下「第二面側」という）に密着して又は隙間を介してこれに重ねられており、
台紙本体３１１と前側の前記側端部保護領域３３との間の折り曲げ罫線３ａ２で折り曲げられて前側の前記側端部保護領域３３が前記台紙本体１１１の第一面側に重ねられており、かつ、その観察用窓３３ｚから透明フィルムＣの一部が露出すると共に、前側の前記側端部保護領域３３が透明フィルムＣの前側側端を覆っており、
前側の前記側端部保護領域３３と左右の前記固定領域３４，３５との間の折り曲げ罫線３ｂ１，３ｂ２で折り曲げられて、左右の前記固定領域３４，３５の両者が、それぞれ、台紙本体３１１の第二面側に重ねられており、かつ、これら両固定領域３４，３５が互いに係止されている、
ことを特徴とする包装体である。
【００２１】
次に、請求項１０に記載の発明は、前記台紙本体３１１に重ねられた前側の前記側端部保護領域３３が前記台紙本体３１１から突出した部位を有しており、この突出部位に吊り下げ孔３ｘを有することを特徴とする請求項９に記載の包装体である。
【発明の効果】
【００２２】
請求項１〜２に記載の発明に係る包装体においては、透明フィルムの前後側端に位置する隙間に包装体の外部から触れることができないように、この透明フィルムの前後側端を前記ブランクの一部領域で保護しているため、この包装体を解体しない限り、この前後側端の位置でブランクと透明フィルムとの間の前記隙間から内容物を取り出すことができない。また、この隙間から異物を混入したり、別の内容物と交換することもできない。
【００２３】
請求項３〜１０に記載の発明は、いずれも、請求項１に記載の発明を具体化したものであって、これら請求項３〜１０に記載の発明においても、透明フィルムの前後側端に位置する隙間に包装体の外部から触れることができないように、この透明フィルムの前後側端を前記ブランクの一部領域で保護しており、包装体を解体しない限り、ブランクと透明フィルムとの間の前記隙間から内容物を取り出したり、異物を混入したりすることができない。
【００２４】
すなわち、請求項３〜５に記載の発明においては、後側下側折り重ね片１２１及び後側上側折り重ね片１２２が透明フィルムＣの後側側端を覆って保護しているから、これら後側下側折り重ね片１２１及び後側上側折り重ね片１２２を除去しない限り、透明フィルムＣの後側側端を露出することができず、この後側側端の位置でブランクＡ１と透明フィルムＣとの間の隙間を露出することができない。
【００２５】
ところで、後側下側折り重ね片１２１又は後側上側折り重ね片１２２は、折り曲げ罫線１ｄ１，１ｄ２，１ｅ１，１ｅ２を介して後側側面固定片１４２，１４３，１４４，１４５に連接されており、これら後側側面固定片１４２，１４３，１４４，１４５は折り曲げ罫線１ｄ１，１ｄ２，１ｅ１，１ｅ２で折り曲げられて、台紙本体１１１の第二面側に重ねられており、しかも、これら後側側面固定片１４２，１４３，１４４，１４５は、その上に後側係止片１４１と前側係止片１５１とが重ねられて、これら後側係止片１４１と前側係止片１５１とが互いに係止されているから、この係止を解かない限り、これら後側下側折り重ね片１２１又は後側上側折り重ね片１２２を除去することができない。
【００２６】
このように、後側係止片１４１と前側係止片１５１との係止を解かない限り、後側下側折り重ね片１２１又は後側上側折り重ね片１２２を除去することができず、したがって、透明フィルムＣの後側側端の位置でブランクＡ１と透明フィルムＣとの間の隙間を露出することができないのである。
【００２７】
そして、透明フィルムＣの前側側端についても同様の構造を有しているから、この前側側端の位置でもブランクＡ１と透明フィルムＣとの間の隙間をに触れることが困難である。
【００２８】
このように、請求項３〜５に記載の発明においては、透明フィルムＣの後側側端の位置と前側側端の位置のいずれについても、ブランクＡ１と透明フィルムＣとの間の隙間を露出してここに触れることが困難であるため、この隙間から異物を混入したり、内容物Ｂを不正に取り出すことができないのである。
【００２９】
なお、後側上側折り重ね片１２２と前側上側折り重ね片１５２との間には隙間があり、この隙間から透明フィルムＣを通して内容物Ｂを観察することができるから、この包装体を店頭で陳列した場合にも、その内容物Ｂを見ることができる。また、透明フィルムＣを介して内容物Ｂに触ることも可能である。
【００３０】
次に、請求項６〜８に記載の発明においては、底板２２１が台紙本体２１１の第二面側に重ねられており、この底板２２１を底面とし、天板２２３を天面、４枚の側面板２２２，２２４，２２５，２２６を四周の側面として、直方体状の箱体を構成している。天板２２３の中央には観察用の窓が開口しているが、この観察用窓の周囲には天板２２３が存在しており、透明フィルムＣの側端はこの天板２２３で保護されているため、この箱体を破壊しない限り、ブランクＡ２と透明フィルムＣとの間の隙間に触れることができない。このため、この隙間から異物を混入したり、内容物Ｂを不正に取り出すことができない。
【００３１】
なお、箱体の天面２２３に観察用窓が設けられており、この観察用窓と透明フィルムＣを通して内容物Ｂを観察することができるから、この包装体を店頭で陳列した場合にも、その内容物Ｂを見ることが可能である。
【００３２】
次に、請求項９〜１０に記載の発明においては、後側側端部保護領域３２が透明フィルムＣの後側側端を覆っており、前側側端部保護領域３３が透明フィルムＣの前側側端を覆っているため、ブランクＡ１と透明フィルムＣとの間の隙間が露出することがなく、この隙間に触れることができない。しかも、前側側端部保護領域３３の中央には観察用窓３３ｚが設けられており、この観察用窓３３ｚ通して内容物Ｂを観察することができるから、この包装体を店頭で陳列した場合にも、その内容物Ｂを見ることが可能である。
【図面の簡単な説明】
【００３３】
【図１】図１は本発明の第１の具体例に係り、そのブランクの平面図である。
【図２】図２は本発明の第１の具体例に係り、その製造工程を示す斜視図である。
【図３】図３は本発明の第１の具体例に係り、その製造工程を示す斜視図である。
【図４】図４は本発明の第１の具体例に係り、その製造工程を示す斜視図である。
【図５】図５は本発明の第１の具体例に係り、その製造工程を示す斜視図である。
【図６】図６は本発明の第１の具体例に係り、図６（ａ）は包装体の平面図、図６（ｂ）は底面図である。
【図７】図７は本発明の第２の具体例に係り、そのブランクの平面図である。
【図８】図８は本発明の第２の具体例に係り、その製造工程を示す斜視図である。
【図９】図９は本発明の第２の具体例に係り、その製造工程を示す斜視図である。
【図１０】図１０は本発明の第２の具体例に係り、その製造工程を示す斜視図である。
【図１１】図１１は本発明の第２の具体例に係り、その製造工程を示す斜視図である。
【図１２】図１２は本発明の第２の具体例に係り、その製造工程を示す斜視図である。
【図１３】図１３は本発明の第２の具体例に係り、その包装体の斜視図である。
【図１４】図１４は本発明の第３の具体例に係り、そのブランクの平面図である。
【図１５】図１５は本発明の第３の具体例に係り、その製造工程を示す斜視図である。
【図１６】図１６は本発明の第３の具体例に係り、その製造工程を示す斜視図である。
【図１７】図１７は本発明の第３の具体例に係り、その製造工程を示す斜視図である。
【図１８】図１８は本発明の第３の具体例に係り、その製造工程を示す斜視図である。
【図１９】図１９は本発明の第３の具体例に係り、その製造工程を示す斜視図である。
【図２０】図２０は本発明の第３の具体例に係り、その製造工程を示す斜視図である。
【図２１】図２１は本発明の第３の具体例に係り、図２１（ａ）は包装体の平面図、図２１（ｂ）は底面図である。
【図２２】図２２は従来の技術を示す説明用斜視図である。
【発明を実施するための形態】
【００３４】
本発明の包装体は、１枚のブランクＡと透明フィルムＣとで固体内容物Ｂを包装したものである。そこで、以下、図面を参照しながら本発明の具体例を説明する。
【００３５】
なお、本発明において、「第一面側」はブランクの両面のうち一方の面を意味し、「第二面側」はその反対面を意味する。「前後」「左右」については、以下の説明及び図面から明らかと考えられる。
【００３６】
（具体例１）
説明の便宜上、まず、ブランクＡ１について説明する。図１は、この具体例１で使用するブランクＡ１の平面図である。
【００３７】
このブランクＡ１は、その機能に応じて５種類の領域に区分することができる。
【００３８】
第１の領域は台紙領域１１０である。この領域１１０は、台紙本体１１１と２つの折り曲げ片１１２，１１３とを備えて構成されている。２つの折り曲げ片１１２，１１３は、それぞれ、台紙本体１１１の左右に配置されており、台紙本体１１１と折り曲げ片１１２とは折り曲げ罫線１ｃ１を介して連接されており、台紙本体１１１と折り曲げ片１１３とは折り曲げ罫線１ｃ２を介して連接されている。
【００３９】
この台紙領域１１０は、内容物Ｂを固定する領域である。すなわち、後述するように、台紙本体１１１の第一面側に内容物Ｂを載置し、この内容物Ｂを透明フィルムＣで被覆してその左右端をそれぞれ左右の折り曲げ片１１２，１１３に固定した後、折り曲げ罫線１ｃ１，１ｃ２で折り曲げて左右の折り曲げ片１１２，１１３を台紙本体１１１の第二面側に重ねることにより、透明フィルムＣの張力で内容物Ｂを台紙本体１１１の第一面側に押し付けて固定することができる。
【００４０】
なお、図示のように、台紙本体１１１には長孔１ｘ１の半分が設けられている。この長孔１ｘ１は、後述する前側下側折り重ね片１３１と台紙本体１１１との跨って設けられたもので、吊り下げ孔１ｘを構成するものである。この吊り下げ孔１ｘについては後述する。
【００４１】
次に、第２の領域は後側側端部保護領域１２０である。この後側側端部保護領域１２０は、後側下側折り重ね片１２１と後側上側折り重ね片１２２とで構成されている。後側下側折り重ね片１２１は台紙本体１１１の後側に位置しており、台紙本体１１１と後側下側折り重ね片１２１とは折り曲げ罫線１ａ１を介して連接されている。また、後側上側折り重ね片１２２は後側下側折り重ね片１２１の後側に位置しており、この両者１２１，１２２は折り曲げ罫線１ａ２を介して互いに連接されている。
【００４２】
この後側側端部保護領域１２０は、透明フィルムＣの後側側端を覆って保護するもので
ある。すなわち、後述するように、折り曲げ罫線１ａ１で折り曲げて後側下側折り重ね片１２１を台紙本体１１１の第一面側に重ね、しかも、この後側下側折り重ね片１２１が透明フィルムＣの後側側端を覆うように重ねると共に、折り曲げ罫線１ａ２で折り曲げて後側上側折り重ね片１２２を後側下側折り重ね片１２１に重ねることにより、これら後側下側折り重ね片１２１と後側上側折り重ね片１２２とで二重に透明フィルムＣの後側側端を覆って保護することができる。
【００４３】
次に、第３の領域は後側固定領域１４０である。この後側固定領域１４０は、後側係止片１４１と後側側面固定片１４２，１４３，１４４，１４５とを備えて構成されている。
【００４４】
後側係止片１４１は後側上側折り重ね片１２２の後側に位置しており、後側上側折り重ね片１２２と後側係止片１４１とは折り曲げ罫線１ａ３を介して連接されている。
【００４５】
また、この後側係止片１４１には、係止用切込み１ｙ４が設けられており、後述する前側係止片１７１の係止用突起１ｙ５を係止用切込み１ｙ４に差し込むことにより、互いに分離困難に係止することができる。
【００４６】
また、後側係止片１４１の先端には、切り欠け１ｘ４が設けられている。この切り欠け１ｘ４は長円の半分の形状を有しており、前述の長孔１ｘ１と共に吊り下げ孔１ｘを構成するものである。
【００４７】
後側側面固定片１４２，１４３，１４４，１４５は、後側下側折り重ね片１２１の左右又は後側上側折り重ね片１２２の左右に配置されている。
【００４８】
すなわち、後側側面固定片１４２は後側下側折り重ね片１２１の右側に配置されており、これら後側下側折り重ね片１２１と後側側面固定片１４２とは折り曲げ罫線１ｄ１を介して連接されている。また、後側側面固定片１４３は後側下側折り重ね片１２１の左側に配置されており、これら後側下側折り重ね片１２１と後側側面固定片１４３とは折り曲げ罫線１ｄ２を介して連接されている。後側側面固定片１４４は後側上側折り重ね片１２２の右側に配置されており、これら後側下側折り重ね片１２１と後側側面固定片１４４とは折り曲げ罫線１ｅ１を介して連接されている。後側側面固定片１４５は後側上側折り重ね片１２２の左側に配置されており、これら後側下側折り重ね片１２１と後側側面固定片１４５とは折り曲げ罫線１ｅ２を介して連接されている。
【００４９】
なお、折り曲げ罫線１ｄ１、折り曲げ罫線１ｅ１は、前述の折り曲げ罫線１ｃ１及び後述する折り曲げ罫線１ｆ１，１ｇ１と共に、直線を構成する形状に設けられている。折り曲げ罫線１ｄ２、折り曲げ罫線１ｅ２も、前述の折り曲げ罫線１ｃ２及び後述する折り曲げ罫線１ｆ２，１ｇ２と共に、直線を構成する形状に設けられている。
【００５０】
この後側固定領域１４０は、後側側端部保護領域１２０が透明フィルムＣの後側側端に重ねられた状態を維持して固定するものである。すなわち、折り曲げ罫線１ｄ１，１ｅ１で折り曲げて後側側面固定片１４２及び後側側面固定片１４４を台紙本体１１１の第二面側に重ね、同様に折り曲げ罫線１ｄ２，１ｅ２で折り曲げて後側側面固定片１４３及び後側側面固定片１４５を台紙本体１１１の第二面側に重ねた後、折り曲げ罫線１ａ３で折り曲げて後側係止片１４１を台紙本体１１１の第二面側、すなわち、これら後側側面固定片１４２，１４３，１４４，１４５の上に重ねて、前側係止片１７１と係止することにより、後側側端部保護領域１２０が透明フィルムＣの後側側端に重ねられた状態を維持して固定することができる。
【００５１】
次に、第４の領域は前側側端部保護領域１３０である。前側側端部保護領域１３０は、
透明フィルムＣの前側側端を覆って保護するもので、その一部に長孔１ｘ１の半分が設けられている点及び透孔１ｘ３が設けられている点を除き、後側側端部保護領域１２０と同様の構造を有している。
【００５２】
すなわち、前側側端部保護領域１３０は前側下側折り重ね片１３１と前側上側折り重ね片１３２とで構成されている。前側下側折り重ね片１３１は台紙本体１１１の前側に位置しており、台紙本体１１１と前側下側折り重ね片１３１とは折り曲げ罫線１ｂ１を介して連接されている。また、前側上側折り重ね片１３２は前側下側折り重ね片１３１の前側に位置しており、この両者１３１，１３２は折り曲げ罫線１ｂ２を介して互いに連接されている。
【００５３】
なお、長孔１ｘ１は、台紙本体１１１と前側下側折り重ね片１３１との間の折り曲げ罫線１ｂ１を対称軸として線対称となるように、この折り曲げ罫線１ｂ１を跨いで配置されている。このため、折り曲げ罫線１ｂ１で折り曲げて台紙本体１１１と前側下側折り重ね片１３１とを重ねたとき、長孔１ｘ１のうち台紙本体１１１に位置する部分と前側下側折り重ね片１３１に位置する部分とが重なり合う。
【００５４】
また、透孔１ｘ３は前側上側折り重ね片１３２に設けられている。前側下側折り重ね片１３１と前側上側折り重ね片１３２との間の折り曲げ罫線１ｂ２で折り曲げて両折り重ね片１３１，１３２を互いに重ねたとき、透孔１ｘ３が長孔１ｘ１に重なる位置にこの透孔１ｘ３が配置されている。そして、折り曲げ罫線１ｂ２で折り曲げると共に折り曲げ罫線１ｂ１で折り曲げたとき、透孔１ｘ３と長孔１ｘ１とが重なり合い、台紙本体１１１、前側下側折り重ね片１３１及び前側上側折り重ね片１３２を貫通する貫通孔を形成する。
【００５５】
次に、第５の領域は前側固定領域１５０である。この前側固定領域１５０は、前側側端部保護領域１３０が透明フィルムＣの前側側端に重ねられた状態を維持して固定するものである。このため、後側側固定領域１４０と類似した構造を有している。
【００５６】
すなわち、まず、前側固定領域１５０は、前側係止片１５１と前側側面固定片１５２，１５３，１５４，１５５とを備えて構成されている。
【００５７】
前側係止片１５１は前側上側折り重ね片１３２の前側に位置しており、前側上側折り重ね片１３２と前側係止片１５１とは折り曲げ罫線１ｂ３を介して連接されている。
【００５８】
この前側係止片１５１には透孔１ｘ５が設けられている。折り曲げ罫線１ｂ３で折り曲げて前側上側折り重ね片１３２と前側係止片１５１とを互いに重ねたとき、前側係止片１５１の透孔１ｘ５と前側上側折り重ね片１３２の透孔１ｘ３とが互いに重なる位置にこの透孔１ｘ５が配置されている。前述のように、折り曲げ罫線１ｂ１及び折り曲げ罫線１ｂ２で折り曲げたとき、透孔１ｘ３は長孔１ｘ１に重なるから、これら各折り曲げ罫線１ｂ１，１ｂ２，１ｂ３で折り曲げたとき、透孔１ｘ５は透孔１ｘ３と長孔１ｘ１の両者に重なり、台紙本体１１１、前側下側折り重ね片１３１、前側上側折り重ね片１３２及び前側係止片１５１を貫通する貫通孔を形成する。なお、後述するように、前側係止片１５１と後側係止片１４１とを互いに係止したとき、後側係止片１４１の切り欠け１ｘ４はこれら長孔１ｘ１、透孔１ｘ３及び透孔１ｘ５に重なり、この結果、前側係止片１５１、台紙本体１１１、前側下側折り重ね片１３１、前側上側折り重ね片１３２及び前側係止片１５１を貫通する吊り下げ孔１ｘを形成する。
【００５９】
また、前側係止片１５１の先端には係止用突起１ｙ５が設けられている。前述のように、この係止用突起１ｙ５を後側係止片１４１の係止用切込み１ｙ４に差し込むことにより、前側係止片１５１と後側係止片１４１とを互いに分離困難に係止することができる。
【００６０】
前側側面固定片１５２，１５３，１５４，１５５は、前側下側折り重ね片１３１の左右又は前側上側折り重ね片１３２の左右に配置されている。
【００６１】
すなわち、前側側面固定片１５２は前側下側折り重ね片１３１の右側に配置されており、これら前側下側折り重ね片１３１と前側側面固定片１５２とは折り曲げ罫線１ｆ１を介して連接されている。また、前側側面固定片１５３は前側下側折り重ね片１３１の左側に配置されており、これら前側下側折り重ね片１３１と前側側面固定片１５３とは折り曲げ罫線１ｆ２を介して連接されている。前側側面固定片１５４は前側上側折り重ね片１３２の右側に配置されており、これら前側下側折り重ね片１３１と前側側面固定片１５４とは折り曲げ罫線１ｇ１を介して連接されている。前側側面固定片１５５は前側上側折り重ね片１３２の左側に配置されており、これら前側下側折り重ね片１３１と前側側面固定片１５５とは折り曲げ罫線１ｇ２を介して連接されている。
【００６２】
なお、前述のように、折り曲げ罫線１ｇ１、折り曲げ罫線１ｆ１、折り曲げ罫線１ｃ１、折り曲げ罫線１ｄ１、折り曲げ罫線１ｅ１は、これらが全体として直線を構成している。折り曲げ罫線１ｇ２、折り曲げ罫線１ｆ２、折り曲げ罫線１ｃ２、折り曲げ罫線１ｄ２、折り曲げ罫線１ｅ２も、これらが全体として直線を構成している。
【００６３】
次に、この具体例１に係る包装体の製造方法を説明する。
【００６４】
すなわち、まず、ブランクＡ１の台紙本体１１１の第一面側に内容物Ｂを載置する。次に、この内容物Ｂを透明フィルムＣで被覆し、この透明フィルムＣの左右端をそれぞれ右側折り曲げ片１１２及び左側折り曲げ片１１３に固定する（図２参照）。なお、図中、Ｃ１，Ｃ２はこの固定部を示している。
【００６５】
次に、台紙本体１１１と後側下側折り重ね片１２１との間の折り曲げ罫線１ａ１で折り曲げ、後側下側折り重ね片１２１を台紙本体１１１の第一面側に重ねて、透明フィルムＣの後側側端をこの後側下側折り重ね片１２１で覆う。また、これと共に、後側下側折り重ね片１２１と後側上側折り重ね片１２２との間の折り曲げ罫線１ａ２で折り曲げ、後側上側折り重ね片１２２を後側下側折り重ね片１２１に重ねる。
【００６６】
同様に、折り曲げ罫線１ｂ１で折り曲げ、前側下側折り重ね片１５１を台紙本体１１１の第一面側に重ねて、透明フィルムＣの前側側端をこの前側下側折り重ね片１５１で覆う。また、これと共に、前記前側下側折り重ね片１５１と前側上側折り重ね片１５２との間の折り曲げ罫線１ｂ２で折り曲げ、前側上側折り重ね片１５２が前側下側折り重ね片１５１に重ねる。
【００６７】
図３は、こうして、透明フィルムＣの後側側端と前側側端の両者を覆って保護する工程を示す斜視図である。また、図４は保護した状態を示している。
【００６８】
次に、折り曲げ罫線１ｇ１、折り曲げ罫線１ｆ１、折り曲げ罫線１ｃ１、折り曲げ罫線１ｄ１、折り曲げ罫線１ｅ１で折り曲げて、右側折り曲げ片１１２、後側側面固定片１４２，１４４及び前側側面固定片１４２，１４４を台紙本体１１１の第二面側に重ねる。前述のように、折り曲げ罫線１ｇ１、折り曲げ罫線１ｆ１、折り曲げ罫線１ｃ１、折り曲げ罫線１ｄ１、折り曲げ罫線１ｅ１は全体として直線を構成しているため、この工程は単一の工程である。
【００６９】
また、同様に、折り曲げ罫線１ｇ２、折り曲げ罫線１ｆ２、折り曲げ罫線１ｃ２、折り曲げ罫線１ｄ２、折り曲げ罫線１ｅ２で折り曲げて、左側折り曲げ片１１３、後側側面固
定片１４３，１４５及び前側側面固定片１５３，１５５を台紙本体１１１の第二面側に重ねる。
【００７０】
図５はこの工程を示すもので、第二面側から見た斜視図である。そして、この工程によって、透明フィルムＣが引き伸ばされてその張力が増加し、固体内容物Ｂが台紙本体１１１の第一面側に押し付けられて固定される。また、この工程で、後側側面固定片１４２，１４３，１４４，１４５及び前側側面固定片１５２，１５３，１５４，１５５が台紙本体１１１の第二面側に重ねられる。
【００７１】
そして、最後に、後側上側折り重ね片１２２と後側係止片１４１との間の折り曲げ罫線１ａ３で折り曲げて後側係止片１４１を台紙本体１１１の第二面側の後側側面固定片１４２，１４３，１４４，１４５の上に重ねると共に、前側上側折り重ね片１３２と前側係止片１５１との間の折り曲げ罫線１ｂ３で折り曲げて前側係止片１５１を台紙本体１１１の第二面側で前側側面固定片１５２，１５３，１５４，１５５の上に重ね、後側係止片１４１の係止用切込み１ｙ４と係止用突起１ｙ５とを互いに係止して固定する。
【００７２】
図６はこうして製造された包装体を示しており、図６（ａ）は第一面側から見た平面図、図６（ｂ）は第二面側から見た底面図である。図６（ａ）から分かるように、この包装体では、透明フィルムＣを通して内容物Ｂを観察することができる。また、この包装体では、内容物Ｂの第一面は透明フィルムＣで被覆しているだけであるから、この第一面をなぞることにより、その凹凸や触感を確認することも可能である。
【００７３】
このため、この包装体は店頭に陳列するものとして優れている。また、陳列するに当たっては、吊り下げ孔１ｘを利用して吊り下げ展示することもできる。
【００７４】
なお、透明フィルムＣの両側端が折り重ね片１２１，１２２，１３１、１３２で保護されており、後側係止片１４１と前側係止片１５１との係止を解かない限り、この両側端でブランクＡ１と透明フィルムＣとの間の隙間を露出することが困難であることは以上の説明から明らかと思われる。したがって、この包装体は、これを解体しない限り、ブランクＡ１と透明フィルムＣとの隙間に触れることができず、この隙間から異物を混入したり、内容物Ｂを不正に取り出すことができないのである。
【００７５】
次に、図７を参照して、具体例１の変形例について説明する。この例は、台紙領域１１０に内容物Ｂの一部を陥入する陥入部を有するブランクＡ１’を使用したもので、図７はそのブランクＡ１’の平面図である。
【００７６】
この図から分かるように、このブランクＡ１’には、台紙領域１１０に内容物Ｂの一部を陥入する陥入部が設けられている。この陥入部は、内容物Ｂの形状や大きさに応じた長円形状の折り曲げ罫線１ｚ１と、この長円形状折り曲げ罫線１ｚ１を長軸方向に横断するスリット１ｚ２とで構成されたものである。そこで、内容物Ｂをこの陥入部の上に載置して押し込むと、折り曲げ罫線１ｚ１が折り曲がると共にスリット１ｚ２が開き、内容物Ｂの一部を陥入して位置固定することができる。その他の点は具体例１と同様であり、包装体の製造工程や使用方法も具体例１と同様である。
【００７７】
（具体例２）
説明の便宜上、まず、ブランクＡ２について説明する。図８は、この具体例２で使用するブランクＡ２の平面図である。
【００７８】
このブランクＡ２は、その機能に応じて２種類の領域に区分することができる。
【００７９】
第１の領域は台紙領域２１０である。この領域２１０は、台紙本体２１１、２つの折り曲げ片２１２，２１３、及び応力緩衝板２１４を備えて構成されている。２つの折り曲げ片２１２，２１３は、それぞれ、台紙本体２１１の左右に配置されており、台紙本体２１１と折り曲げ片２１２とは折り曲げ罫線２ｃ１を介して連接されており、台紙本体２１１と折り曲げ片２１３とは折り曲げ罫線２ｃ２を介して連接されている。また、応力緩衝板２１４は台紙本体２１１の後側に配置されており、台紙本体２１１と応力緩衝板２１４とは折り曲げ罫線２ｂを介して連接されている。
【００８０】
この台紙領域２１０は、内容物Ｂを固定する領域である。すなわち、後述するように、台紙本体２１１の第一面側に内容物Ｂを載置し、この内容物Ｂを透明フィルムＣで被覆してその左右端をそれぞれ左右の折り曲げ片２１２，２１３に固定した後、折り曲げ罫線２ｃ１，２ｃ２で折り曲げて左右の折り曲げ片２１２，２１３を台紙本体１１１の第二面側に重ねることにより、透明フィルムＣの張力で内容物Ｂを台紙本体２１１の第一面側に押し付けて固定することができる。
【００８１】
なお、台紙本体２１１は、後述する箱体より大きく構成されており、このため、箱体から突出する部位を有している。そして、この突出部位に透孔２ｘ１が設けられている。
【００８２】
また、応力緩衝板２１４は、後述するように台紙本体２１１と底板２２１との間に配置して、包装体に上方向から応力がかかったとき、応力緩衝板２１４と台紙本体２１１との折り曲げ罫線２ｂのばね作用によってその応力を緩衝して、包装体が潰れるのを防止するものである。
【００８３】
次に、第２の領域は箱体形成領域２２０である。この領域２２０は、直方体状の箱体を形成する領域で、直方体状箱体の各面に対応して、底板２２１、天板２２３、４枚の側面板２２２，２２４，２２５，２２６を備えて構成されている。
【００８４】
すなわち、まず、折り曲げ罫線２ａを介して台紙本体２１１の前側に底板２２１が連接している。この底板２２１は台紙本体２１１と同形同大であり、このため、直方体状箱体から突出する部位を有しており、この突出部位に透孔２ｘ２が設けられている。なお、折り曲げ罫線２ａを対象軸として台紙本体２１１の透孔２ｘ１と透孔２ｘ２とは線対象の位置に配置されており、このため、折り曲げ罫線２ａで折り曲げて台紙本体２１１と底板２２１とを重ねたとき、透孔２ｘ１と透孔２ｘ２とは互いに重なり合って吊り下げ孔２ｘを構成する。
【００８５】
また、底面２２１の左側には折り曲げ罫線を介して差込フラップ２２１αが連接されており、この底面２２１と差込フラップ２２１αとの間の折り曲げ罫線には切り込み２ｙが設けられている。
【００８６】
次に、底面２２１の右側に折り曲げ罫線を介して側面板２２２が連接しており、この側面板２２２右側に折り曲げ罫線を介して天板２２３が連接している。この天板２２３は台紙本体２１１及び底板２２１のいずれに対しても小さく構成されており、その中央には観察用の窓２２３ｚが開口している。
【００８７】
そして、天板２２３の右側及び前後には、それぞれ、折り曲げ罫線を介して側面板２２４，２２５，２２６が連接されている。これら側面板２２４，２２５，２２６には、それぞれ、差込フラップ２２４α，２２５α，２２６αが連接されている。
【００８８】
次に、この具体例２に係る包装体の製造方法を説明する。
【００８９】
すなわち、まず、ブランクＡ２の台紙本体２１１の第一面側に内容物Ｂを載置する。次に、この内容物Ｂを透明フィルムＣで被覆し、この透明フィルムＣの左右端をそれぞれ右側折り曲げ片２１２及び左側折り曲げ片２１３に固定する（図９参照）。なお、図中、Ｃ１，Ｃ２はこの固定部を示している。
【００９０】
次に、折り曲げ罫線２ｃ１で折り曲げて右側折り曲げ片２１２を台紙本体２１１の第二面側に重ねると共に、折り曲げ罫線２ｃ２で折り曲げて左側折り曲げ片２１３を台紙本体２１１の第二面側に重ねる。また、併せて、折り曲げ罫線２ｂで折り曲げて応力緩衝板２１４を台紙本体２１１の第二面側に重ねる。この工程によって、透明フィルムＣの張力で内容物Ｂを台紙本体２１１の第一面側に押し付けて固定することができる。
【００９１】
図１０は、こうして両折り曲げ片２１２，２１３及び応力緩衝板２１４を折り曲げる工程を示す斜視図である。また、図１１は折り曲げた状態を示している。
【００９２】
次に、折り曲げ罫線２ａで折り曲げて箱体形成領域２２０の底板２２１を台紙本体２１１の第二面側で、右側折り曲げ片２１２及び左側折り曲げ片２１３の両者の上に重ねる（図１２参照）。台紙本体２１１と底板２２１とは同形同大であり、その三辺で、両者２１１、２２１の間に両折り曲げ片２１２，２１３及び応力緩衝板２１４が介在しているから、上方向から応力がかかった場合にもその応力を緩衝することができる。なお、透孔２ｘ１と透孔２ｘ２とは折り曲げ罫線２ａを対象軸として線対象の位置に配置されているから、折り曲げ罫線２ａで折り曲げて底板２２１と台紙本体２１１とを重ねることにより、この両透孔２ｘ１，２ｘ２は互いに重なり合って、吊り下げ孔２ｘを形成する。
【００９３】
最後に、底板２２１を底面とし、天板２２３を天面、４枚の側面板２２２，２２４，２２５，２２６を四周の側面として、直方体状の箱体を形成することにより、具体例２の包装体を製造することができる。このように直方体状の箱体を形成する方法は周知であるが、具体的には、まず、各折り曲げ罫線で折り曲げて、底板２２１、側面板２２２、天板２２３及び側面板２２４から成る角筒を形成し、差込フラップ２２４αを切り込み２ｙに差し込んで係止する。次に、各折り曲げ罫線で折り曲げて、側面板２２５，２２６によって箱体の側面を形成すればよい。
【００９４】
こうして製造された具体例２の包装体を図１３に示す。この包装体においては、箱体の天面中央に観察用窓２２３ｚが開口しているが、この観察用窓の周囲には天板２２３が存在しており、透明フィルムＣの側端はこの天板２２３で保護されているため、この箱体を破壊しない限り、ブランクＡ２と透明フィルムＣとの間の隙間に触れることができない。このため、この隙間から異物を混入したり、内容物Ｂを不正に取り出すことができないのである。
【００９５】
なお、箱体の天面２２３に観察用窓２２３ｚが設けられており、この観察用窓２２３ｚと透明フィルムＣを通して内容物Ｂを観察することができるから、この包装体を店頭で陳列した場合にも、その内容物Ｂを見ることが可能である。
【００９６】
また、吊り下げ孔２ｘを利用して吊り下げ展示することも可能である。
【００９７】
（具体例３）
説明の便宜上、まず、ブランクＡ３について説明する。図１４は、この具体例３で使用するブランクＡ３の平面図である。
【００９８】
このブランクＡ３は、その機能に応じて５種類の領域に区分することができる。
【００９９】
第１の領域は台紙領域３１０である。この領域３１０は、台紙本体３１１及び２つの折り曲げ片３１２，３１３を備えて構成されている。２つの折り曲げ片３１２，３１３は、それぞれ、台紙本体３１１の左右に配置されており、台紙本体３１１と折り曲げ片３１２とは折り曲げ罫線３ｃ１を介して連接されており、台紙本体３１１と折り曲げ片３１３とは折り曲げ罫線３ｃ２を介して連接されている。
【０１００】
この台紙領域３１０は、内容物Ｂを固定する領域である。すなわち、後述するように、台紙本体３１１の第一面側に内容物Ｂを載置し、この内容物Ｂを透明フィルムＣで被覆してその左右端をそれぞれ左右の折り曲げ片３１２，３１３に固定した後、折り曲げ罫線３ｃ１，３ｃ２で折り曲げて左右の折り曲げ片３１２，３１３を台紙本体３１１の第二面側に重ねることにより、透明フィルムＣの張力で内容物Ｂを台紙本体３１１の第一面側に押し付けて固定することができる。
【０１０１】
次に、第２の領域は後側側端部保護領域３２である。この後側側端部保護領域３２は台紙本体３１１の後側に位置しており、台紙本体３１１と後側側端部保護領域３２とは折り曲げ罫線３ａ１を介して連接されている。この後側側端部保護領域３２は、透明フィルムＣの後側側端を覆って保護するものである。すなわち、折り曲げ罫線３ａ１で折り曲げて、後側側端部保護領域３２を台紙本体３１１の第一面側に重ねることにより、透明フィルムＣの後側側端を覆って保護することができる。
【０１０２】
次に、第３の領域は前側側端部保護領域３３である。この前側側端部保護領域３３は台紙本体３１１の前側に位置しており、台紙本体３１１と前側側端部保護領域３３とは折り曲げ罫線３ａ２を介して連接されている。この前側側端部保護領域３３は、透明フィルムＣの後側側端を覆って保護するものである。すなわち、折り曲げ罫線３ａ２で折り曲げて前側側端部保護領域３３を台紙本体３１１の第一面側に重ねることにより、透明フィルムＣの後側側端を覆って保護することができる。
【０１０３】
なお、折り曲げ罫線３ａ２で折り曲げて前側側端部保護領域３３を台紙本体３１１の第一面側に重ねたとき、この前側側端部保護領域３３が台紙本体３１１の第一面の全体に重なり、後側側端部保護領域３２に重なってこれを覆い、かつ、台紙本体３１１から突出する大きさを有している。この突出部位には吊り下げ孔３ｘが設けられている。また、前側側端部保護領域３３にはその中央に矩形状の観察用窓３３ｚが設けられており、この前側側端部保護領域３３を台紙本体３１１の第一面側に重ねたとき、透明フィルムＣの前後側の両側端部を除き、その中央部を観察用窓３３ｚを通して観察することができる。もちろん、内容物Ｂはこの透明フィルムＣを通して観察することができ、透明フィルム越しにその触感を確かめることも可能である。
【０１０４】
次に、第４の領域及び第５の領域は左右の前記固定領域３４，３５である。これらは、互いに協働して、後側側端部保護領域３２及び前側側端部保護領域３３が透明フィルムＣの側端に重ねられた状態を維持して固定するものである。
【０１０５】
右側の固定領域３４は前側側端部保護領域３３の右側に位置しており、前側側端部保護領域３３と右側固定領域３４とは折り曲げ罫線３ｂ１を介して連接されている。また、左側の固定領域３５は前側側端部保護領域３３の左側に位置しており、前側側端部保護領域３３と左側固定領域３５とは折り曲げ罫線３ｂ２を介して連接されている。そして、これら左右の固定領域３４，３５には、互いに係止できる係止手段を有している。図中、３ｙ１はこの係止手段を構成する係止用切込みであり、３ｙ２はこの係止用切込み３ｙ１に差し込む係止用突起を示している。すなわち、折り曲げ罫線３ｂ１及び折り曲げ罫線３ｂ２で折り曲げて、左右の前記固定領域３４，３５を台紙本体３１１の第二面側に重ね、係止用突起１ｙ２を係止用切込み３ｙ１に差し込むことにより、左右の前記固定領域３４，３
５が互いに固定される。また、これに伴い、前側側端部保護領域３３も台紙本体３１１の第一面側に重ねられた状態で固定される。なお、後側側端部保護領域３２には前側側端部保護領域３３が重ねられているから、この後側側端部保護領域３２も台紙本体３１１の第一面側に重ねられた状態で固定されるのである。
【０１０６】
次に、この具体例３に係る包装体の製造方法を説明する。
【０１０７】
すなわち、まず、ブランクＡ３の台紙本体３１１の第一面側に内容物Ｂを載置する。次に、この内容物Ｂを透明フィルムＣで被覆し、この透明フィルムＣの左右端をそれぞれ右側折り曲げ片３１２及び左側折り曲げ片３１３に固定する（図１５参照）。なお、図中、Ｃ１，Ｃ２はこの固定部を示している。
【０１０８】
次に、台紙本体３１１と後側側端部保護領域３２との間の折り曲げ罫線３ａ１で折り曲げ、後側側端部保護領域３２を台紙本体３１１の第一面側に重ねて、透明フィルムＣの後側側端をこの後側側端部保護領域３２で覆う。図１６は、こうして、透明フィルムＣの後側側端を覆って保護する工程を示す斜視図である。また、図１７は保護した状態を示している。
【０１０９】
次に、台紙本体３１１と左右の折り曲げ片３１２，３１３との間の折り曲げ罫線３ｃ１，３ｃ２で折り曲げ、これら左右の折り曲げ片３１２，３１３両者を、それぞれ、台紙本体１１１の第二面側に重ねる。この工程によって、透明フィルムＣが引き伸ばされてその張力が増加し、固体内容物Ｂが台紙本体３１１の第一面側に押し付けられて固定される。図１８は、こうして、透明フィルムＣが引き伸ばして内容物Ｂを固定する工程を示す斜視図である。また、図１９は固定した状態を示している。
【０１１０】
次に、台紙本体３１１と前側側端部保護領域３３との間の折り曲げ罫線３ａ２で折り曲げ、前側側端部保護領域３３を台紙本体３１１の第一面側に重ねる（図２０参照）。このとき、透明フィルムＣの前側側端はこの前側側端部保護領域３３で覆われ、また、後側側端部保護領域３２にもこの前側側端部保護領域３３が重なる。一方、前側側端部保護領域３３には、その中央に観察用窓３３ｚが設けられているから、この観察用窓３３ｚを通して透明フィルムＣ及び固定された内容物Ｂを観察することができる。
【０１１１】
最後に、前側側端部保護領域３３と左右の前記固定領域３４，３５との間の折り曲げ罫線３ａ２３４，３５との間の折り曲げ罫線３ｂ１，３ｂ２で折り曲げて、左右の前記固定領域３４，３５の両者を、それぞれ、台紙本体３１１の第二面側に重ね、係止用突起を係止用切込み３ｙ１に差し込んで固定する。
【０１１２】
図２１はこうして製造された包装体を示しており、図２１（ａ）は第一面側から見た平面図、図２１（ｂ）は第二面側から見た底面図である。図２１（ａ）から分かるように、この包装体では、透明フィルムＣを通して内容物Ｂを観察することができる。また、この包装体では、内容物Ｂの第一面は透明フィルムＣで被覆しているだけであるから、この第一面をなぞることにより、その凹凸や触感を確認することも可能である。
【０１１３】
このため、この包装体は店頭に陳列するものとして優れている。また、陳列するに当たっては、吊り下げ孔３ｘを利用して吊り下げ展示することもできる。
【０１１４】
なお、透明フィルムＣの両側端が前側側端部保護領域３３及び後側側端部保護領域３２で保護されており、左右の前記固定領域３４，３５の係止を解かない限り、この両側端でブランクＡ１と透明フィルムＣとの間の隙間を露出することが困難であることは以上の説明から明らかと思われる。したがって、包装体を解体しない限り、この隙間に触れること
ができず、ここから異物を混入したり、内容物Ｂを不正に取り出すことができない。
【０１１５】
なお、ブランクＡ１，Ａ２，Ａ３は厚紙で構成することができる。また、プラスチックシートで構成してもよい。
【０１１６】
また、内容物Ｂは任意の固体でよいが、ボールペンや消しゴム等の文房具、ドライバー等の工具、腕時計や計算機等が好適である。
【０１１７】
また、透明フィルムＣとしては任意のプラスチックフィルムを使用することができる。例えば、ポリエチレンフィルム、ポリプロピレンフィルム、ポリエステルフィルム、ポリアミドフィルム、ポリ塩化ビニルフィルム等である。
【符号の説明】
【０１１８】
Ａ１：ブランク
１１０：台紙領域    １１１：台紙本体    １１２：折り曲げ片    １１３：折り曲げ片
１２０：後側側端部保護領域    １２１：後側下側折り重ね片    １２２：後側上側折り重ね片
１３０：前側側端部保護領域    １３１：前側下側折り重ね片    １３２：前側上側折り重ね片
１４０：後側固定領域    １４１：後側係止片    １４２〜１４５：後側側面固定片
１５０：前側固定領域    １５１：前側係止片    １５２〜１５５：前側側面固定片
１ａ１〜１ａ３：折り曲げ罫線
１ｂ１〜１ｂ３：折り曲げ罫線
１ｃ１〜１ｃ２：折り曲げ罫線
１ｘ：吊り下げ孔１ｘ
Ｂ：内容物
Ｃ：透明フィルム
Ａ２：：ブランク
２１０：台紙領域    ２１１：台紙本体    ２１２：折り曲げ片    ２１３：折り曲げ片    ２１４：応力緩衝板
２２０：箱体形成領域    ２２１：底板    ２２２：側面板    ２２３：天板    ２２４〜２２６：側面板
２２３ｚ：観察用窓
２ａ：折り曲げ罫線
２ｂ：折り曲げ罫線
２ｘ：吊り下げ孔
Ａ３：ブランク
３１０：台紙領域    ３１１：台紙本体    ３１２：折り曲げ片    ３１３：折り曲げ片
３２：後側側端部保護領域    ３３：前側側端部保護領域
３４：右側固定領域    ３５：左側固定領域
３ａ１〜３ａ２：折り曲げ罫線
３ｂ１〜３ｂ２：折り曲げ罫線
３ｃ１〜３ｃ２：折り曲げ罫線
３３ｚ：観察用窓
３ｘ：吊り下げ孔
【図１】
2020055610.tif 000003
【図２】
2020055610.tif 000004
【図３】
2020055610.tif 000005
【図４】
2020055610.tif 000006
【図５】
2020055610.tif 000007
【図６】
2020055610.tif 000008
【図７】
2020055610.tif 000009
【図８】
2020055610.tif 000010
【図９】
2020055610.tif 000011
【図１０】
2020055610.tif 000012
【図１１】
2020055610.tif 000013
【図１２】
2020055610.tif 000014
【図１３】
2020055610.tif 000015
【図１４】
2020055610.tif 000016
【図１５】
2020055610.tif 000017
【図１６】
2020055610.tif 000018
【図１７】
2020055610.tif 000019
【図１８】
2020055610.tif 000020
【図１９】
2020055610.tif 000021
【図２０】
2020055610.tif 000022
【図２１】
2020055610.tif 000023
【図２２】
2020055610.tif 000024